(57)【要約】【課題】コネクタ構造を提供する。【解決手段】絶縁枠体と１組の導電端子、カード戻し機構及び金属遮蔽体とが含有され、絶縁枠体は、一側にメモリカードの挿入と退出を案内するカード戻し機構が設けられ、カード戻し機構のスライダにメモリカードが挿入されると、メモリカードの凹槽に係止し、メモリカードが動揺して変位することがないように、定位に固定される係止フックが設けられ、電信伝送の安定を確保し、また、絶縁枠体に導電端子が設けられ、導電端子は一側に分段である常時開式スイッチ端子が設けられ、スイッチ端子は絶縁枠体の側辺に設けられ、メモリカードが挿入されると、分段であるスイッチ端子が押されて、スイッチ端子の前段がメモリカードにより側辺へスイッチ端子の後段に抵当されて、末端のスイッチ端子を導通し、これにより、検知回路が導通される。【選択図】図１
0003126606.tif 000002
【実用新案登録請求の範囲】
【請求項１】
カード戻し機構と導電端子及びスイッチ端子が設置される絶縁枠体と、絶縁枠体を被覆する金属遮蔽体とが含有され、金属遮蔽体に、絶縁枠体の縁のほぞと係合するためのほぞ穴があり、メモリカードが、挿入されると、カード戻し機構により、動揺しないように定位に固定され、また、カードを退出する弾力を提供し、絶縁枠体のもう一側に位置するスイッチ端子が、第１のスイッチ端子と第２のスイッチ端子及び第３のスイッチ端子に分けられ、メモリカードが挿入されると、メモリカードが、順にスイッチ第１のスイッチ端子と第２のスイッチ端子を抵当して、第１のスイッチ端子と第２のスイッチ端子が、第３のスイッチ端子に接触して検知回路が導通され、メモリカードのデータをアクセスできる、
ことを特徴とするコネクタ構造。
【請求項２】
カード戻し機構に、スライダとレバー及び弾性素子が含有され、当該スライダにレバーレールが設けられ、スライダがメモリカードによって押される時、レバーが、当該レバーレールで摺動することにより、スライダが定位され、スライダの一端が、弾性素子に抵当し、スライダが内へ摺動する時、当該弾性素子を圧縮し、当該弾性素子により、回復の弾性が供給され、また、スライダに係止部品が嵌設され、メモリカードが挿入されると、当該係止部品が、メモリカードの凹槽に係止することにより、メモリカードが定位されることを特徴とする請求項１に記載のコネクタ構造。
【請求項３】
弾性素子が、バネであることを特徴とする請求項２に記載のコネクタ構造。
【請求項４】
当該係止部品が、左から右へメモリカードの凹槽に係止することを特徴とする請求項２に記載のコネクタ構造。
【請求項５】
第１のスイッチ端子が、細長い端子で、一端が、第１の接触部と第１の抵当部に分岐することを特徴とする請求項１に記載のコネクタ構造。
【請求項６】
第１のスイッチ端子の第１の抵当部が、絶縁枠体の内部に向かって湾曲される「く」文字形状であることを特徴とする請求項５に記載のコネクタ構造。
【請求項７】
第２のスイッチ端子が、細長い端子で、一端が、第２の接触部と第２の抵当部に分岐することを特徴とする請求項１に記載のコネクタ構造。
【請求項８】
第２のスイッチ端子の第２の抵当部が、絶縁枠体の内部に向かって湾曲される「く」文字形状であることを特徴とする請求項７に記載のコネクタ構造。
【請求項９】
金属遮蔽体に、それぞれ、レバーとメモリカードに適当な下へ向かう圧力を供給するレバー押えシートと複数のメモリカード押えシートが設けられることを特徴とする請求項１に記載のコネクタ構造。
【考案の詳細な説明】
【技術分野】
【０００１】
本考案は、コネクタ構造に関し、特に、絶縁枠体と、１組の導電端子と、カード戻し機構と、金属遮蔽体とが含有され、スライダ上の係止フックにより、挿入されたメモリカードが、摺動しないように定位され、また、導電端子の一側に、分段式のスイッチ端子が設けられ、メモリカードが押し入れられることと共に、分段であるスイッチ端子が、持続に接触し、検知回路が導通されて、データをアクセスすることができるものに関する。
【背景技術】
【０００２】
情報科学とディジタル化の発展ともに、記憶装置の発展も素早くなり、また、記憶装置の容量が大きくなると共に、記憶装置の小型化も実現され、既存のディジタル製品には、各種類の軽薄短小のメモリカードを記憶装置として利用され、メモリカードのコネクタも、メモリカードを利用する時の必要な要素になる。
【０００３】
しかしながら、上記のメモリカードのコネクタの体積が小さく、挿入ストロークが短いため、容易に、定位の確実性を把握できず、また、容易に、データ伝送の不安定を来たし、上記の問題点を解消するために、接触覚スイッチを設置して、メモリカードがある定位に挿入されると、接触覚スイッチを駆動してメモリカードのデータを伝送開始し、また、従来の接触覚スイッチは、常時開式であっても、常時閉式であっても、二つか三つの異なる形態の構成要素からなるため、工程と組立てが複雑で、コストも高くなる。
【０００４】
また、メモリカードが、定位に挿入された後、固定されなければ、外力により動揺されて位移するため、データの伝送エラーや破損が発生し、また、導電端子とメモリカード自身との不正の摩擦が発生して、故障になる恐れがある。
【考案の開示】
【考案が解決しようとする課題】
【０００５】
本考案の目的は、絶縁枠体と１組の導電端子、カード戻し機構及び金属遮蔽体が含有され、当該絶縁枠体の一側に、メモリカードの挿入と退出を案内するためのカード戻し機構が設けられ、カード戻し機構のスライダに、係止フックが設けられ、メモリカードが挿入されると、当該係止フックが、メモリカードの凹槽に係止することにより、メモリカードが、動揺して変位することがないように定位に固定され、電信伝送の安定を確保できるコネクタ構造を提供する。
【課題を解決するための手段】
【０００６】
請求項１の考案は、カード戻し機構と導電端子及びスイッチ端子が設置される絶縁枠体と、絶縁枠体を被覆する金属遮蔽体とが含有され、金属遮蔽体に、絶縁枠体の縁のほぞと係合するためのほぞ穴があり、メモリカードが、挿入されると、カード戻し機構により、動揺しないように定位に固定され、また、カードを退出する弾力を提供し、絶縁枠体のもう一側に位置するスイッチ端子が、第１のスイッチ端子と第２のスイッチ端子及び第３のスイッチ端子に分けられ、メモリカードが挿入されると、メモリカードが、順にスイッチ第１のスイッチ端子と第２のスイッチ端子を抵当して、第１のスイッチ端子と第２のスイッチ端子が、第３のスイッチ端子に接触して検知回路が導通され、メモリカードのデータをアクセスできる、ことを特徴とするコネクタ構造である。
【０００７】
請求項２の考案は、カード戻し機構に、スライダとレバー及び弾性素子が含有され、当該スライダにレバーレールが設けられ、スライダがメモリカードによって押される時、レバーが、当該レバーレールで摺動することにより、スライダが定位され、スライダの一端が、弾性素子に抵当し、スライダが内へ摺動する時、当該弾性素子を圧縮し、当該弾性素子により、回復の弾性が供給され、また、スライダに係止部品が嵌設され、メモリカードが挿入されると、当該係止部品が、メモリカードの凹槽に係止することにより、メモリカードが定位されることを特徴とする請求項１に記載のコネクタ構造である。
【０００８】
請求項３の考案は、弾性素子が、バネであることを特徴とする請求項２に記載のコネクタ構造である。
【０００９】
請求項４の考案は、当該係止部品が、左から右へメモリカードの凹槽に係止することを特徴とする請求項２に記載のコネクタ構造である。
【００１０】
請求項５の考案は、第１のスイッチ端子が、細長い端子で、一端が、第１の接触部と第１の抵当部に分岐することを特徴とする請求項１に記載のコネクタ構造である。
【００１１】
請求項６の考案は、第１のスイッチ端子の第１の抵当部が、絶縁枠体の内部に向かって湾曲される「く」文字形状であることを特徴とする請求項５に記載のコネクタ構造である。
【００１２】
請求項７の考案は、金属遮蔽体に、それぞれ、レバーとメモリカードに適当な下へ向かう圧力を供給するレバー押えシートと複数のメモリカード押えシートが設けられることを特徴とする請求項１に記載のコネクタ構造である。
【考案を実施するための最良の形態】
【００１３】
コネクタ構造１は、図１と２を参照しながら、絶縁枠体２と複数の導電端子３、スライダ４、レバー５、弾性素子６及び金属遮蔽体７から構成され、絶縁枠体２に、導電端子３とカード戻し機構が搭載され、当該カード戻し機構は、絶縁枠体２の一側のスライダ槽２２に、スライダ４が設置され、当該スライダ４に、レバーレール４１が設けられ、スライダ４が摺動する時、レバー５がレバーレール４１で摺動し、当該スライダの下方に係止部品４２が嵌設され、当該係止部品４２の末端が、スライダ４の外へ突出し、メモリカード８が押し入れられると、当該係止部品４２が、メモリカード８の側辺の凹槽に係止し、これにより、メモリカード８が、動揺しなくて固定され、弾性素子６が、スライダ４の一端に抵当し、スライダ４がスライダ槽２２で摺動する時、回復の弾性を供給し、絶縁枠体２のもう一側に、第１のスイッチ端子３１と第２のスイッチ端子３２及び第３のスイッチ端子３３が設けられ、三者が、隣り合いながら接触しなく、第１のスイッチ端子３１の末端が、第１の抵当部３１１と第１の接触部３１２に分岐し、メモリカード８が第１の抵当部３１１に抵当する時、第１の接触部３１２が、内へ押されて第２のスイッチ端子３２に接触し、また、第２のスイッチ端子３２は、第２の抵当部３２１と第２の接触部３２２が設けられ、メモリカード８によって押されて第３のスイッチ端子３３に接触し、これにより、各スイッチ端子が接触して、検知回路が導通され、金属遮蔽体７は、絶縁枠体２に被覆し、レバー５がレバーレール４１から離脱しないためのレバー押えシート７１が設けられ、また、メモリカード８に下へ圧力を印加するための複数のメモリカード押えシート７２が設けられ、これにより、メモリカード８と導電端子３が緊密に接触し、また、金属遮蔽体７の側縁に、絶縁枠体２のほぞ２３と係合できる複数のほぞ穴７３が設けられ、そして、絶縁枠体の外側に、回路板に半田付けるための固定端子２１が設けられ、そのため、カード戻し機構を有し、メモリカードが安定的に固定され、伝送や導通がスムーズに行われるコネクタ構造が構成される。
【００１４】
図３乃至５を参照しながら、スイッチ端子は、絶縁枠体２の一側に嵌設される細長い端子であり、第１と第２と第３のスイッチ端子３１、３２、３３に分けられ、第１のスイッチ端子３１は、第２のスイッチ端子３２に隣接する一側が、上方の第１の抵当部３１１と下方の第１の接触部３１２に分岐し、第１の抵当部３１１が、絶縁枠体２の内側へ向かう「く」文字形状で、下方の第１の接触部３１２が、第２のスイッチ端子３２に接触しないように内側へ伸ばし、第２のスイッチ端子３２にも、第２の抵当部３２１と第２の接触部３２２が設けられ、メモリカード８が挿入されることにより、まず、第１のスイッチ端子３１の第１の抵当部３１１が抵当されて外へ変位し、これにより、第１の接触部３１２が外へ向かって第２のスイッチ端子３２に接触し、また、メモリカード８が、更に押し入れられると、第２のスイッチ端子３２の第２の抵当部３２１に抵当し、同じように、第２の接触部３２２が共に外へ変位して、第３のスイッチ端子３３に接触し、これにより、第１と第２及び第３のスイッチ端子３１、３２、３３の三者が、互いに接触して回路が形成され、そのため、検知回路が導通されて、メモリカード８のデータをアクセスすることが開始される。
【００１５】
図６を参照しながら、メモリカード８が当該コネクタ構造１に挿入されると、金属遮蔽体７のレバー押えシート７１により、レバー５に下へ圧力を印加し、これにより、レバー５が、スライダ４が摺動することによりレバーレール４１から離脱することを防止し、また、メモリカード８の上方に、複数のメモリカード押えシートが設けられ、これにより、メモリカード８と導電端子３が緊密に接触でき、データ伝送が安定である。
【図面の簡単な説明】
【００１６】
【図１】本考案に係わるコネクタ構造の分解図
【図２】本考案に係わるコネクタ構造の組立て概念図
【図３】本考案に係わるコネクタ構造のスイッチ端子立体図
【図４】本考案に係わるコネクタ構造の作動概念図（１）
【図５】本考案に係わるコネクタ構造の作動概念図（２）
【図６】本考案に係わるコネクタ構造の立体図
【符号の説明】
【００１７】
１          コネクタ構造
２          絶縁枠体
２１        固定端子
２２        スライダ槽
２３        ほぞ
３          導電端子
３１        第１のスイッチ端子
３１１ 第１の抵当部
３１２ 第１の接触部
３２        第２のスイッチ端子
３２１ 第２の抵当部
３２２ 第２の接触部
３３        第３のスイッチ端子
４          スライダ
４１        レバーレール
４２        係止部品
５          レバー
６          弾性素子
７          金属遮蔽体
７１        レバー押えシート
７２        メモリカード押えシート
７３        ほぞ穴
８          メモリカード
【図１】
0003126606.tif 000003
【図２】
0003126606.tif 000004
【図３】
0003126606.tif 000005
【図４】
0003126606.tif 000006
【図５】
0003126606.tif 000007
【図６】
0003126606.tif 000008